(57)【要約】【課題】視認性が良好で、成形性及び強度に優れたシャドウマスクを備えながら、ドーミングによる色純度の劣化が生じにくいカラー受像管を提供する。【解決手段】内面に蛍光体スクリーン３が形成されたパネル１の有効部１ａの外面の対角軸Ｄ、短辺１ａS、長辺１ａLに沿った曲率半径ＲD、ＲS、ＲLが、ＲD≧１０ｍ、ＲS＞ＲD、ＲL＞ＲDを満足する。ここで、対角軸Ｄに沿った曲率半径ＲDは、有効部１ａの対角軸方向寸法をＳD、有効部１ａの外面において有効部１ａの中心に対する有効部の対角軸端の管軸方向に沿った落ち込み量をＺDとしたとき、ＲD＝［（ＳD／２）2＋ＺD2］／（２×ＺD）により定義される。【選択図】図２
2007157436.tif 000002
【特許請求の範囲】
【請求項１】
内面に蛍光体スクリーンが形成された実質的に矩形状の有効部を有するパネルと、電子ビームを通過させる多数の開孔が形成された曲面状の有孔領域を有するシャドウマスクとを備えたカラー受像管であって、
前記パネルの前記有効部の中心における前記有効部の接平面に垂直な軸を管軸とし、
前記有効部の対角軸方向寸法ＳD、及び前記有効部の外面において前記有効部の中心に対する前記有効部の対角軸端の前記管軸方向に沿った落ち込み量ＺDを用いて、
ＲD＝［（ＳD／２）2＋ＺD2］／（２×ＺD）      ・・・（１）
より定義されるＲDを前記有効部の外面の対角軸に沿った曲率半径とし、
前記有効部の外面の短辺に沿った曲率半径をＲS、前記有効部の外面の長辺に沿った曲率半径をＲLとしたとき、
ＲD≧１０ｍ
ＲS＞ＲD
ＲL＞ＲD
を満足することを特徴とするカラー受像管。
【請求項２】
０．９３＜ＲS／ＲL＜１．０７を満足する請求項１に記載のカラー受像管。
【請求項３】
ＲD＜ＲS／２且つＲD＜ＲL／２を満足する請求項１に記載のカラー受像管。
【請求項４】
ＲS＞５０ｍ且つＲL＞５０ｍを満足する請求項１に記載のカラー受像管。
【請求項５】
前記シャドウマスクは鉄を９５％以上含む材料からなる請求項１に記載のカラー受像管。
【請求項６】
前記パネルの前記有効部の中央での透過率が６０％以下である請求項１に記載のカラー受像管。
【発明の詳細な説明】
【技術分野】
【０００１】
本発明はシャドウマスクを備えたカラー受像管に関する。
【背景技術】
【０００２】
一般にカラー受像管は、図４に示すように、曲面からなる有効部１ａの周辺に側壁部１ｂが設けられたほぼ矩形状のパネル１と、側壁部１ｂに接合された漏斗状のファンネル２とからなるガラス製の外囲器９を有する。パネル１の有効部１ａの内面には、黒色非発光物質層と、この黒色非発光物質層の隙間に埋め込まれた、緑、青、赤の３色の蛍光体とからなる略矩形状の蛍光体スクリーン３が設けられている。各蛍光体は短辺方向に沿ったストライプ状に形成され、この蛍光体のストライプが長辺方向に多数配列されている。
【０００３】
この蛍光体スクリーン３に対向して、シャドウマスク構体５が設けられている。シャドウマスク構体５は、電子ビームを通過させる多数の開孔（電子ビーム通過孔）が形成されたシャドウマスク４と、シャドウマスク４を保持する略矩形状のマスクフレーム１１とからなる。
【０００４】
シャドウマスク４は、図５に示すように、パネル１の有効部１ａと対向する主面部４ａと、主面部４ａに対してほぼ直角に屈曲されて主面部４ａに連設されたスカート部４ｄとを備える。主面部４ａは、蛍光体スクリーン３を構成する３色蛍光体に対して電子銃７から放出された３電子ビーム６Ｂ、６Ｇ、６Ｒを選別するための多数の電子ビーム通過孔４ｅが形成され、且つ、蛍光体スクリーン３側に凸曲面を有する有孔領域４ｂ、及びこの有孔領域４ｂの外周を取り囲む無孔領域４ｃからなる。
【０００５】
シャドウマスク４は、スカート部４ｄがほぼ矩形枠状のマスクフレーム１１に取り付けられて、マスクフレーム１１に保持されている。マスクフレーム１１に取付けられた弾性支持体（図示せず）をパネル１の側壁部１ｂの内壁面に設けられたスタッドピン（図示せず）に係止することにより、シャドウマスク構体５はパネル１に着脱可能に取り付けられている。
【０００６】
ファンネル２のネック２ａ内には３電子ビーム６Ｂ、６Ｇ、６Ｒを放出する電子銃７が配設されている。またファンネル２の径大部の内側に、マスクフレーム１１に取付けられた内部磁気シールド１０が配置されている。ファンネル２の外周面上には偏向装置８が搭載されている。
【０００７】
電子銃７から放出された３電子ビーム６Ｂ、６Ｇ、６Ｒは偏向装置８が発生する磁界により偏向され、シャドウマスク４の電子ビーム通過孔を通過して蛍光体スクリーン３を水平方向及び垂直方向に走査して、カラー画像が表示される。
【０００８】
外囲器９の内部空間は真空であるため、外界の大気圧により外囲器９内に応力が発生する。外囲器９は球形ではない為、この応力は均一ではなく、引っ張り応力又は圧縮応力が分布をもって発生する。従って、外囲器９に何らかの機械的衝撃が加わり、局部的な破壊又は亀裂が発生すると、外囲器９は容易に爆縮してしまう。この爆縮を防止するために、パネル１の側壁部１ｂの外周面には、外囲器９の強度を保持し、爆縮を防止する為の防爆用補強バンド１２が巻回される。
【０００９】
一般に、カラー受像管の蛍光体スクリーン３上に色ずれのない画像を表示するためには、シャドウマスク４に形成された電子ビーム通過孔を通過した３電子ビームが３色蛍光体に正しくランディングしなければならない。そのためには、パネル１とシャドウマスク４とを所定の関係に維持する必要があり、なかでも、蛍光体スクリーン３とこれに対向するシャドウマスク４の有孔領域４ｂとの間隔（ｑ値）が所定の許容範囲内であることが必要である。
【００１０】
シャドウマスク４を備えたカラー受像管では、その動作原理上、シャドウマスク４の電子ビーム通過孔を通過して蛍光体スクリーン３に到達する電子ビームは、電子銃７から放出された全電子ビーム量の１／３以下であり、他の電子ビームはシャドウマスク４に衝突して熱エネルギーに変換される。従って、シャドウマスク４が加熱され、その結果生ずる熱膨張により、シャドウマスク４は蛍光体スクリーン３側に膨出するように変形する、いわゆるドーミングをおこす。このドーミングにより、蛍光体スクリーン３とシャドウマスク４の有孔領域４ｂとの間隔（ｑ値）が許容範囲を超えると、蛍光体スクリーン３に対する電子ビームのランディング位置がずれ、色純度が劣化する。
【００１１】
近年、視認性を向上させるため、パネル１の有効部１ａの外面の曲率半径を大きくして、平面に近づけることが要望されている。この場合、外囲器９の大気圧強度および視認性の点から、有効部１ａの内面の曲率半径も大きくする必要がある。有効部１ａの内面の曲率半径を大きくすると、適正なビームランディングを得るためには、シャドウマスク４の有孔領域４ｂの曲率半径も大きくすることが必要となる。
【００１２】
シャドウマスク４の有孔領域４ｂの曲率半径が大きくなるとドーミング量が大きくなるため、電子ビームのランディング位置ずれ量も大きくなり、色純度が大幅に劣化する。このため、パネル１の有効部１ａの外面がほぼ平坦なカラー受像管では、ドーミングを抑制するため、シャドウマスク４の材料として、一般に、熱膨張係数の低い、鉄およびニッケルを主成分とする合金が使用されている。例えば３６Ｎｉアンバー合金などの鉄−ニッケル系合金が使用される。このような合金の熱膨張係数は０〜１００℃で１〜２×１０-6であり、ドーミング抑制に対しては有効である反面、高コストである。更に、鉄−ニッケル系合金は焼鈍後に大きな弾性を有するため、極めて多数の電子ビーム通過孔を形成した後の薄い金属板をプレス成形する曲面成形加工が難しく、所望の曲面を得るのが難しい。例えば、９００℃もの高温で焼鈍しても降伏点強度は２８×１０7Ｎ／ｍ2程度であり、一般に成形加工が容易であるとされる降伏点強度である２０×１０7Ｎ／ｍ2以下にするためにはかなりの高温処理が必要になる。従って、この材料を用いて、有孔領域４ｂの曲率半径が大きなシャドウマスク４をプレス成形で加工するのは特に困難である。
【００１３】
また、プレス成形後のシャドウマスク４の強度の観点から見た成形性は、有孔領域４ｂの曲率半径が小さいほど良好である。パネル１の有効部１ａの外面が平坦なカラー受像管ではシャドウマスク４の有孔領域４ｂの曲率半径は大きくなるので、このようなカラー受像管に適用されるシャドウマスク４の成形加工は更に困難である。
【００１４】
成形加工が不十分で、且つ成形後に不所望な応力がシャドウマスク４に残留している場合、この残留応力がカラー受像管の製造工程中でシャドウマスク４の形状変化を生じさせ、これが電子ビームのビームランディング位置ずれを招き、色純度が大きく劣化することになる。
【００１５】
また、シャドウマスク４の成形加工が不十分であると、得られたシャドウマスク４の機械的強度が低下し、カラー受像管の製造過程や動作中の衝撃や振動によりシャドウマスク４が容易に変形してしまう。その結果、蛍光体スクリーン３とシャドウマスク４の有孔領域４ｂとの間隔（ｑ値）が変化し、蛍光体スクリーン３に対する電子ビームのランディング位置がずれ、色純度が劣化する。また、カラー受像管をＴＶセットに組込んだ場合、スピーカーからの振動により、シャドウマスク４が共振しやすくなり、その共振により蛍光体スクリーン３とシャドウマスク４の有孔領域４ｂとの間隔（ｑ値）が変化し、色純度が劣化するという問題がある。
【００１６】
一方、高純度の鉄を主成分とする材料であれば、８００℃程度の焼鈍で降伏点強度を２０×１０7Ｎ／ｍ2以下にすることができるため、成形加工は非常に容易である。従って、アンバー合金では必須である成形加工時の金型温度を高温に保つ必要がなく、生産性も良好である。
【００１７】
しかし、このような高純度の鉄を主成分とする材料の熱膨張係数は０〜１００℃で約１２×１０-6と大きく、ドーミングに対しては不利であり、特にパネル１の有効部１ａの外面がほぼ平坦なカラー受像管に適用した場合には、色純度が著しく劣化し、大きな問題となる。
【００１８】
特許文献１には、外面が実質的に平面であり、内面が凹曲面であるパネルを備えたカラー受像管が開示されている。ところが、内面の曲率半径は、シャドウマスクに関する上述した各種問題を効果的に抑制するのに十分な曲率を有していない。従って、特に安価な鉄材からなるシャドウマスクを使用する場合に大きな問題となっていた。
【００１９】
特許文献２には、外面の曲率半径が６０００ｍｍ以上９００００ｍｍ未満のパネルを備えたカラー受像管が開示されている。ところが、その内面の曲率半径は、上述の各種問題を効果的に抑制するのに十分に小さくはない。
【特許文献１】第２９９３４３７号公報
【特許文献２】第３２８２５５３号公報
【発明の開示】
【発明が解決しようとする課題】
【００２０】
以上のように、パネル１の有効部１ａの外面の平坦化に対する要求が著しく高まっている。一方、シャドウマスク４の有孔領域４ｂの曲面形状は、実質的にパネル１の有効部１ａの内面の曲面形状に沿った形状に設定される。従って、シャドウマスク４のドーミング特性及び機械的強度特性を向上させようとすればするほど、パネル１の有効部１ａの内面の曲率半径を小さくする必要がある。即ち、図６に示すように、パネル１の有効部１ａの外面は平坦で、その内面は所定の曲率半径を有する凹曲面となる。この結果、パネル１の有効部１ａの厚さは、その中央部で薄く（厚さＴ0）、周辺部で厚くなり（厚さＴ1）、中央部と周辺部との厚み差が増大する。
【００２１】
一般に、外囲器９の内部空間を高真空にすることで大気圧により外囲器９内に発生する応力の不均一性は、パネル１の有効部１ａの外面を平坦化すると著しく高まる。最大応力が発生する部分はパネル１の有効部１ａと側壁部１ｂとの境界部分である。パネル１の有効部１ａの内面の曲率半径を小さくすることにより、この境界部分の厚みは厚くなる。このことは、大気圧により発生する応力緩和に有効であり、機械的衝撃による外囲器９の破壊、爆縮を防止する上で有利である。
【００２２】
しかしながら、カラー受像管はその製造工程において、数回の熱工程を経て製造される。この熱工程において、外囲器９は最高で約５００℃程度まで昇温される。大量生産のためには、工程時間は出来るだけ短いことが要求され、結果として外囲器９は温度変化勾配が非常に大きな加熱、冷却を受けることになる。この急加熱、急冷却により、外囲器９内の温度分布が著しく不均一となり、特にパネル１の厚肉部に非常に大きな熱応力が発生し、これにより外囲器９が破壊するという問題があった。
【００２３】
また、画像のコントラストを向上する目的で、パネル１の材料として透過率の低いガラスが使用される事が主流となっている。この場合、パネル１の厚みに応じてその透過率が大きく変化する。パネル１の有効部１ａの外面をできるだけ平坦にし、且つ、その内面の曲率半径を小さくすることによって、パネル１の有効部１ａの中央部と周辺部とで厚み差が増大すると、有効部１ａの中央部と周辺部とで透過率差が増大してしまう。この結果、画面の中央部では明るく、周辺部では暗くなり、画像の明るさの均一性が低下するという問題もあった。
【００２４】
従って、パネル１の有効部１ａの中央部と周辺部とで厚み差を従来以上に大きくすることは困難であり、有効部１ａの外面が平坦なパネル１において、その内面の曲率半径を小さくすることには限界があった。従って、シャドウマスク４の有孔領域４ｂの曲率半径も十分に小さくすることが出来ず、上述のように、シャドウマスク４の材料として安価で成形性の良好な鉄材を使用した場合、その大きな熱膨張係数により、シャドウマスク４の熱膨張による電子ビームのランディング位置のズレ量はより大きくなり、色純度の劣化が大きくなる。
【００２５】
パネル１の有効部１ａの中央部と周辺部とで厚み差を大きくせずにシャドウマスク４の有孔領域４ａの曲率半径を小さくするためには、パネル１の有効部１ａの内面の曲率半径を小さくする必要があり、これに対応して有効部１ａの外面の曲率半径を小さくする必要がある。しかしながら、このようなカラー受像管は、パネル１の有効部１ａの外面の平坦化に対する要求に反し、また、これまで普及してきている外面が平坦なパネル１を有するカラー受像管との間でＴＶセットの前面キャビネットの互換性が保たれないという欠点がある。
【００２６】
また、大気圧によりパネル１の有効部１ａの中央部が窪むように変形する。補強バンド１２は、パネル１の側壁部１ｂに巻かれてこれを締め付けることにより、有効部１ａをこれと逆、即ちその中央部が膨らむように変形させて、大気圧によって外囲器９内に発生する応力を緩和する。ところが、パネル１の有効部１ａの外面が平坦化されると、パネル１の有効部１ａの中央部を膨らませるように変形させようとする補強バンド１２の作用が得られにくく、より強い締め付け力を発生する補強バンドが必要となっていた。前述の通り、パネル１の有効部１ａの外面が平坦化されると、有効部１ａの周辺部の厚みが厚くなり、外囲器９の防爆特性の観点からは有利ではあるが、有効部１ａの周辺部の厚みには上述の熱応力の低減や画像の明るさ均一性の観点から上限がある。従って、パネル１の有効部１ａの外面を平坦化した場合には、非常に大きな締め付け力を発生する補強バンドが必要となり、これが補強バンド１２のコスト低減を妨げていた。
【００２７】
本発明は、上記の従来の問題に鑑みてなされたものであり、成形性及び強度に優れた安価なシャドウマスクを備え、良好な視認性とＴＶセットへの装着に関して従来のカラー受像管との間で互換性とを有し、ドーミングによる色純度の劣化が生じにくいカラー受像管を提供することを目的とする。また、補強バンドの締め付け力の大幅な増大を不要にすることによって、より安価な補強バンドの使用が可能なカラー受像管を提供することを目的とする。
【課題を解決するための手段】
【００２８】
本発明のカラー受像管は、内面に蛍光体スクリーンが形成された実質的に矩形状の有効部を有するパネルと、電子ビームを通過させる多数の開孔が形成された曲面状の有孔領域を有するシャドウマスクとを備える。
【００２９】
前記パネルの前記有効部の中心における前記有効部の接平面に垂直な軸を管軸とする。
【００３０】
前記有効部の対角軸方向寸法ＳD、及び前記有効部の外面において前記有効部の中心に対する前記有効部の対角軸端の前記管軸方向に沿った落ち込み量ＺDを用いて、
ＲD＝［（ＳD／２）2＋ＺD2］／（２×ＺD）      ・・・（１）
より定義されるＲDを前記有効部の外面の対角軸に沿った曲率半径とする。
【００３１】
前記有効部の外面の短辺に沿った曲率半径をＲS、前記有効部の外面の長辺に沿った曲率半径をＲLとしたとき、
ＲD≧１０ｍ
ＲS＞ＲD
ＲL＞ＲD
を満足する。
【発明の効果】
【００３２】
本発明によれば、パネルの有効部の外面の形状を詳細に規定することにより、この外面の視感上の平面性を確保しながら、防爆特性が向上し、補強バンドの低コスト化が可能になる。また、パネルの有効部の中央部と周辺部との厚み差が従来と略同等に抑えられているので、製造工程においてパネル内に大きな熱応力が発生するのを防止でき、また、画像の明るさの均一性が低下するのを防止できる。更に、有効部の内面の曲率半径を小さくすることが出来るので、シャドウマスクの有孔領域の曲率半径を小さくすることができる。これにより、シャドウマスクの曲面保持強度が向上し、カラー受像管の製造工程でシャドウマスクの局部的な変形を低減できる。また、シャドウマスクの材料として低コストの鉄材を用いてもドーミングによる色純度の劣化を低減できるので、良好なカラー表示を行うことができる。
【発明を実施するための最良の形態】
【００３３】
以下、図面を参照してこの発明の実施の形態について説明する。
【００３４】
本発明に係るカラー受像管の概略構成は、パネルの内外面の形状を除いて特に制限はなく、例えば図４に示した従来のカラー受像管と同じであっても良い。従って、以下では従来のカラー受像管と相違する点を中心に本発明を説明する。
【００３５】
本発明のカラー受像管のパネル１の有効部１ａの外面は、遠方から見たときに略平面と認識出来る程度の大きな曲率半径を有する曲面に形成されており、有効部１ａの内面は所定の曲率半径を有する凹状の曲面に形成されている。パネル１の内面には、実質的に矩形状の蛍光体スクリーン３が形成されている。本発明では、蛍光体スクリーン３が形成されたパネル１の内面上の領域及びこれに対応するパネル１の外面上の領域を「有効部１ａ」と呼ぶ。
【００３６】
図１は、本発明の一実施形態に係るカラー陰極線管のパネル１の概略形状を示した斜視図である。図示したように、パネル１の有効部１ａの中心Ｐ0における有効部１ａの接平面に垂直な軸を管軸（Ｚ軸）する。また、有効部１ａの長辺１ａLと平行で、且つ、Ｚ軸と直交する軸を長軸（Ｘ軸）、有効部１ａの短辺１ａSと平行で、且つ、Ｚ軸と直交する軸を短軸（Ｙ軸）、長辺１ａLと短辺１ａSとが交差する４つの交点（対角軸端）ＰDのうち、互いに対向する２つの交点を結ぶ方向と平行で、且つ、Ｚ軸と直交する軸を対角軸（Ｄ軸）とする。
【００３７】
図２は、有効部１ａの外面の長軸Ｘ及び短軸Ｙにより区分された第１象限内の形状を示した斜視図である。有効部１ａの外面及び内面の形状は、管軸Ｚに対して対称である。
【００３８】
図２に示されるように、有効部１ａの対角軸Ｄ方向寸法をＳD、有効部１ａの外面において有効部１ａの中心Ｐ0に対する有効部１ａの対角軸端ＰDの管軸Ｚ方向に沿った落ち込み量をＺDとしたとき、有効部１ａの外面の対角軸Ｄに沿った曲率半径ＲDは、
ＲD＝［（ＳD／２）2＋ＺD2］／（２×ＺD）      ・・・（１）
により定義される。
【００３９】
有効部１ａの外面の短辺１ａSに沿った曲率半径（即ち、短辺１ａSにおける短軸Ｙ及び管軸Ｚと平行な断面での曲率半径）ＲSは、長軸端（短辺１ａSと長軸Ｘ及び管軸Ｚを含む面との交点）ＰXと対角軸端ＰDとの間の短軸Ｙ方向に沿った距離と、両者の管軸Ｚ方向に沿った落ち込み量差とを用いて上記式（１）と同様に求めることができる。
【００４０】
有効部１ａの外面の長辺１ａLに沿った曲率半径（即ち、長辺１ａLにおける長軸Ｘ及び管軸Ｚと平行な断面での曲率半径）ＲLは、短軸端（長辺１ａSと短軸Ｙ及び管軸Ｚを含む面との交点）ＰYと対角軸端ＰDとの間の長軸Ｘ方向に沿った距離と、両者の管軸Ｚ方向に沿った落ち込み量差とを用いて上記式（１）と同様に求めることができる。
【００４１】
本発明のカラー受像管のパネル１の有効部１ａの外面は、その対角軸に沿った曲率半径ＲDが１０ｍ以上に平坦化されている。
【００４２】
また、有効部１ａの外面の対角軸Ｄ、短辺１ａS、長辺１ａLに沿った曲率半径ＲD、ＲS、ＲLが、
ＲS＞ＲD
ＲL＞ＲD
を満足する。
【００４３】
従来のカラー受像管では、パネル１の有効部１ａの外面は単一の曲率半径の曲面であった（後述する「比較例」を参照）。即ち、有効部１ａの外面の対角軸Ｄ、短辺１ａS、長辺１ａLに沿った曲率半径ＲD、ＲS、ＲLがＲD＝ＲS＝ＲLを満足していた。この従来のカラー受像管と比較すると、本発明のカラー受像管では、対角軸Ｄに沿った曲率半径ＲDが相対的に小さい。本発明のカラー受像管では、外面の対角軸Ｄに沿った曲率半径ＲDが相対的に小さいことに対応して、パネル１の有効部１ａの内面の対角軸Ｄに沿った曲率半径も従来のカラー受像管に比較して小さい。従って、パネル１の有効部１ａの厚みは、本発明のカラー受像管とこの従来のカラー受像管とは略同一であり、これにより、画像の明るさの均一性の低下と製造工程における熱応力の問題の発生とが防止されている。
【００４４】
有効部１ａの外面の短辺１ａSに沿った曲率半径ＲSと、長辺１ａLに沿った曲率半径ＲLとが略同一であることが好ましい。これにより、画面の自然な視認性が得られる。即ち、曲率半径ＲSと曲率半径ＲLとが大きく異なると、一方の方向の曲率が目立ち、画面が円筒状に認識されていまい、視感上の平面性が悪化する。また、上記のように、従来のカラー受像管では、パネル１の有効部１ａの外面は単一の曲率半径の曲面である場合が多く、これとの違和感を少なくすることができる。具体的には、０．９３＜ＲS／ＲL＜１．０７を満足すると、曲率半径ＲSと曲率半径ＲLとは実質的に略同等の曲率と見なせる。
【００４５】
また、ＲD＜ＲS／２且つＲD＜ＲL／２を満足することが好ましい。これにより、パネル１の有効部１ａの内面の対角軸Ｄに沿った曲率半径を更に小さくすることができるので、パネル１の有効部１ａの中央部と周辺部とで厚み差を更に小さくすることができる。
【００４６】
また、ＲS＞５０ｍ且つＲL＞５０ｍを満足することが好ましい。これにより、パネル１の有効部１ａの外面の平面性が良好となる。また、従来の外面が平坦なパネルを有するカラー受像管が組み込まれていたＴＶセットの前面キャビネットを、設計変更することなくそのまま本発明のカラー受像管に適用することができる。
【００４７】
本発明のカラー受像管のシャドウマスク４は鉄を９５％以上含む材料からなることが好ましい。これにより、シャドウマスク４のコストを低減できる。また、シャドウマスク４の成形性が良好である。
【００４８】
また、パネル１の有効部１ａの中央Ｐ0での透過率は６０％以下であることが好ましい。即ち、パネル１が可視光透過率が小さな、いわゆるティント色調ガラス材からなることが好ましい。これにより、パネル１の内面での外光の反射が低減され、画面のコントラストが向上する。本発明のカラー受像管では、パネル１の有効部１ａの中央部と周辺部とでの厚み差は従来のカラー受像管とほぼ同等であるので、ティント色調ガラス材を使用しても画像の明るさの均一性が低下することはない。
【実施例】
【００４９】
本発明を、対角寸法６８ｃｍ、アスペクト比４：３のカラー受像管に適用した例（以下、「実施例」という）を説明する。
【００５０】
本実施例に係るカラー受像管のパネル１の有効部１ａの中央Ｐ0での厚みＴ0は１１．５ｍｍであった。シャドウマスク４の材料として、熱膨張係数が０〜１００℃で１２×１０-6の高純度の鉄からなるアルミキルド脱炭鋼を使用した。
【００５１】
比較のために、パネル１の有効部１ａの外面が単一の曲率半径の曲面である従来のカラー受像管を作製した（以下、「比較例」という）。
【００５２】
パネル１の有効部１ａの外面において、対角軸Ｄに沿った曲率半径をＲD、短辺１ａSに沿った曲率半径をＲS、長辺１ａLに沿った曲率半径をＲL、長軸Ｘに沿った曲率半径（即ち、長軸Ｘ及び管軸Ｚを含む断面での曲率半径）をＲX、短軸Ｙに沿った曲率半径（即ち、短軸Ｙ及び管軸Ｚを含む断面での曲率半径）をＲYとする。実施例及び比較例における各曲率半径を表１に示す。
【００５３】
【表１】
2007157436.tif 000003
【００５４】
本実施例では、ＲS／ＲL＝１．０２であった。
【００５５】
また、パネル１の有効部１ａの内面において、対角軸Ｄに沿った曲率半径をＲDi、短辺１ａSに沿った曲率半径をＲSi、長辺１ａLに沿った曲率半径をＲLi、長軸Ｘに沿った曲率半径（即ち、長軸Ｘ及び管軸Ｚを含む断面での曲率半径）をＲXi、短軸Ｙに沿った曲率半径（即ち、短軸Ｙ及び管軸Ｚを含む断面での曲率半径）をＲYiとする。実施例及び比較例における各曲率半径を表２に示す。
【００５６】
【表２】
2007157436.tif 000004
【００５７】
実施例では、パネル１の有効部１ａの外面の対角軸Ｄに沿った曲率半径ＲDが比較例に比べて小さいことに対応して、有効部１ａの内面の対角軸Ｄに沿った曲率半径ＲDiも比較例に比べて小さい。従って、実施例では、この有効部１ａの内面形状に対応するように、シャドウマスク４の有孔領域４ｂの曲率半径を、比較例に比べて小さく設定した。
【００５８】
実施例及び比較例のカラー受像管について、Ｘ軸上のＸ＝１８５ｍｍの地点でのドーミングによる電子ビーム移動量（「ビーム移動量」）を測定した。結果を表３に示す。ビーム移動量が小さいほど、色純度の劣化による画像の劣化は少ない。
【００５９】
【表３】
2007157436.tif 000005
【００６０】
外囲器９の防爆特性を評価するために、補強バンド１２によるサギング・バック率を測定した。測定法は以下の通りである。図３に示すように、外囲器９の内部空間を真空にすることにより、パネル１の有効部１ａの外面は、二点鎖線２０より破線２１のように変化した。この変化による有効部１ａの中心Ｐ0の管軸Ｚ方向の変位量Ａを測定した。次に、パネル１の側面部１ｂに補強バンド１２を装着した。補強バンド１２を装着することにより、パネル１の有効部１ａの外面は、破線２１より実線２２のように変化した。この変化による有効部１ａの中心Ｐ0の管軸Ｚ方向の変位量Ｂを測定した。即ち、外囲器９の内部空間を真空にするとパネル１の有効部１ａの外面は外囲器９内に押し込まれるように変形量Ａだけ窪み変形し、次いで、補強バンド１２を装着するとこの窪み変形量Ａの一部が回復する（回復量Ｂ）。サギング・バック率ＳＢとは、補強バンド１２を装着したときの窪み変形の回復率であって、
ＳＢ＝（Ｂ／Ａ）×１００（％）
より求めた。
【００６１】
実施例及び比較例でのサギング・バック率の測定結果を表４に示す。実施例と比較例とでは同じ補強バンド１２を使用した。
【００６２】
【表４】
2007157436.tif 000006
【００６３】
実施例では、パネル１の有効部１ａの外面の対角軸Ｄに沿った曲率半径ＲDが比較例に比べて小さいために、同一の締め付け力を発生する補強バンド１２を装着したにもかかわらず、サギング・バック率が大きい。サギング・バック率が大きいことは、カラー受像管の防爆特性が向上していることを意味する。従って、比較例と同等の防爆特性が得られれば十分なのであれば、実施例では補強バンド１２による締め付け力を比較例に比べて小さくすることができる。具体的には、実施例では、比較例に比べて補強バンド１２の厚み又は幅を小さくすることができ、これにより補強バンド１２のコストを低減することができる。あるいは、比較例と同じ補強バンド１２を使用する場合には、実施例では、パネル１の有効部１ａの中央での厚みを薄くすることができ、ガラス材料を削減してパネル１のコストを低減することができる。
【００６４】
画面の視認性に関して、一般に画面の平面性を最も強く感じる部分は、矩形状のスクリーンの端部、即ちその長辺及び短辺である。カラー受像管が組み込まれるＴＶセットの前面キャビネットのスクリーン枠は正面から見て矩形、即ち、長辺及び短辺は直線であるから、パネル１の有効部１ａの外面の周辺部が湾曲していると画面の丸みが非常に目立ってしまい、視認性が低下する。
【００６５】
本実施例では、パネル１の有効部１ａの外面の対角軸Ｄに沿った曲率半径ＲDは比較例に比べて小さいが、湾曲が目立ちやすい有効部１ａの外面の短辺１ａS及び長辺１ａLに沿った曲率半径ＲS、ＲLは比較例と略同等である。従って、パネル１の有効部１ａの外面の平面性に関して、実施例は有効部１ａの外面の対角軸Ｄに沿った曲率半径ＲDが小さいにもかかわらず、比較例と違いがほとんど感じられなかった。また、比較例のカラー受像管が組み込まれる従来のＴＶセットに実施例のカラー受像管を組み込んだところ、パネル１の外面と前面キャビネットのスクリーン枠との間に隙間は生じなかった。従って、実施例のカラー受像管に対して、従来のＴＶセットの前面キャビネットを設計変更することなくそのまま適用することができることを確認した。
【産業上の利用可能性】
【００６６】
本発明の利用分野は特に制限はないが、パネル外面の視感上の平面性を有しながら、画像の輝度の均一性に優れ、ドーミングによる色純度の劣化が少ないので、安価で良好なカラー表示を行うことができる、例えばテレビジョン受像機やコンピュータディスプレイ用のカラー受像管として広範囲に利用することができる。
【図面の簡単な説明】
【００６７】
【図１】本発明の一実施形態に係るカラー陰極線管のパネルの概略形状を示した斜視図
【図２】本発明の一実施形態に係るカラー陰極線管のパネルの有効部の外面の第１象限内の形状を示した斜視図
【図３】補強バンドによるサギング・バック率を説明する側面図
【図４】カラー受像管の一例の概略構成を示した断面図
【図５】シャドウマスクの一例の概略構成を示した斜視図
【図６】有効部の外面が平坦なパネルの断面図
【符号の説明】
【００６８】
１  パネル
１ａ  パネルの有効部
１ａL  有効部の長辺
１ａS  有効部の短辺
１ｂ  パネルの側壁部
２  ファンネル
２ａ  ネック
３  蛍光体スクリーン
４  シャドウマスク
４ａ  主面部
４ｂ  有孔領域
４ｃ  無孔領域
４ｄ  スカート部
４ｅ  電子ビーム通過孔
５  シャドウマスク構体
６Ｂ，６Ｇ，６Ｒ  電子ビーム
７  電子銃
８  偏向装置
９  外囲器
１０  内部磁気シールド
１１  マスクフレーム
１２  補強バンド
【図１】
2007157436.tif 000007
【図２】
2007157436.tif 000008
【図３】
2007157436.tif 000009
【図４】
2007157436.tif 000010
【図５】
2007157436.tif 000011
【図６】
2007157436.tif 000012